(57)【要約】【課題】容易に施工可能であって、しかも冷暖房の立ち上がりや除湿能力に優れた放射空調システムを提供する。【解決手段】室内空間１の空気を取り込んで空調空気をふき出す空調機２と、室内空間１を区画する天井面１１又は壁面１２に取り付けられる断熱パネル３と、断熱パネル３との間に、端部が開放された空間であって、空調空気を通過させて端部から室内空間１に流出させる通風空間Ｓ１を形成する放射パネル４とを設け、空調機２の室内機２１に設けられた空調空気噴出口２１ｂからの空調空気を通風空間Ｓ１の端部から室内空間１に流出させる。その過程で放射パネル４は冷却又は加熱され、放射冷暖房を行う。【選択図】図２
2019090606.tif 000002
【特許請求の範囲】
【請求項１】
室内空間の空気を取り込んで空調空気をふき出す空調機と、
前記室内空間を区画する天井面又は壁面に取り付けられる断熱パネルと、
前記断熱パネルとの間に、端部が開放された空間であって、前記空調空気を通過させて前記端部から前記室内空間に流出させる通風空間を形成する放射パネルと、
を備えることを特徴とする放射空調システム。
【請求項２】
前記断熱パネルは、天井面又は壁面と離間した状態で取り付けられる
ことを特徴とする請求項１に記載の放射空調システム。
【請求項３】
前記放射パネルと前記断熱パネルとの間に、前記空調空気を前記開放された端部に向けて案内する堰板を備える
ことを特徴とする請求項１又は２に記載の放射空調システム。
【請求項４】
前記放射パネルは、前記断熱パネルに取り付けられている
ことを特徴とする請求項１ないし３のいずれか一に記載の放射空調システム。
【請求項５】
前記断熱パネルは、複数のピースが面方向に設置されて構築されている
ことを特徴とする請求項１ないし４のいずれか一に記載の放射空調システム。
【請求項６】
前記放射パネルは、複数のピースが面方向に設置されて構築されている
ことを特徴とする請求項１ないし５のいずれか一に記載の放射空調システム。
【請求項７】
前記断熱パネルは、複数のピースが面方向に設置されて構築され、
前記放射パネルは、複数のピースが面方向に設置されて構築され、
前記断熱パネルのピースと前記放射パネルのピースとは、前記通風空間を形成する間隔を開けて結合されている
ことを特徴とする請求項１ないし６のいずれか一に記載の放射空調システム。
【請求項８】
前記空調機は、壁面に設けられている
ことを特徴とする請求項１ないし７のいずれか一に記載の放射空調システム。
【発明の詳細な説明】
【技術分野】
【０００１】
本発明は、熱の放射により室内空間の空調を行う放射空調システムに関する。
【背景技術】
【０００２】
室内空間の冷暖房を行うヒートポンプ式空調機は、図１１に示すように、室壁１０１に設置した空調機（室内熱交換器）１０３から空調空気を室内空間１０２へ噴き出して対流させるものが一般的である。なお、１０３ａは空調機の室外熱交換器である。しかしながら、このような室内対流型の空調機によれば、室内空間１０２に気流Ｄが発生し、その気流Ｄが人体に直接当たることで不快を感じることがある。そこで近年は、不快な気流感や、室内空間１０２の上下温度分布が発生しにくい放射空調システムが注目されている。
【０００３】
図１２は、この種の放射空調システムの典型的な従来技術を示すものである。すなわち図１２に示す放射空調システムは、天井材１０４の裏側に上部及び側部が断熱材１０５によって適切に断熱され密閉された天井裏空間１０６を形成して、この天井裏空間１０６に空調機１０３からの冷却空気又は加熱空気Ａを供給して、天井材１０４からの熱放射ＴＲにより室内空間１０２の冷暖房を行うものである（下記の特許文献１参照）。
【０００４】
ここで、ヒトの体感温度は、おおよそ次式（１）で表すことができる。
【数１】
2019090606.tif 000003
そして放射空調システムは、式（１）におけるｔ２を調整することによって適正な体感温度を得ようとするものであり、空調空気を室内空間１０２へ噴き出す図１１のような室内対流型の空調システムと比較して、空気を攪拌する必要がないので、不快な気流感や空調騒音が少なく、室内の空気温度自体は、冬は低めに、夏は高めに抑えられるので、窓を通した熱漏れや換気によるエネルギーロスが少なくなり、さらには空気温度の設定が抑えられるため、冬の相対湿度は高めに、夏の相対湿度は低めにシフトし、快適な湿度環境が形成されるといった利点があり、就寝中の人や低代謝の人に適した空調システムであるといえる。
【先行技術文献】
【特許文献】
【０００５】
【特許文献１】特開平５−１４９５８６号公報
【発明の概要】
【発明が解決しようとする課題】
【０００６】
しかしながら、図１２に示す従来の技術による放射空調システムは、空調機１０３や断熱材１０５や配管などを天井裏空間１０６に設置するものであることから、施工やメンテナンスなどが天井裏での作業となり、しかも天井裏空間１０６の高さがある程度高いものである必要がある。しかも、天井裏空間１０６がある程度加熱あるいは冷却されないと、天井材１０４から室内空間１０２への放射ＴＲが有効に行われないため冷暖房の立ち上がりが悪く、このため室内空間１０２が快適な空間となるのに長時間を要し、さらには室内空間１０２で発生した水分を透湿性のある天井材１０４を用いて天井裏空間１０６へ透過させることによる除湿効果を期待しているが、その除湿能力は、室内空間１０２の空気を取り込んで除湿を行う図１１のような室内対流型の空調システムと比較して劣る問題もあった。
【０００７】
本発明は、以上のような点に鑑みてなされたものであって、その技術的課題とするところは、容易に施工可能であって、しかも冷暖房の立ち上がりや除湿能力に優れた放射空調システムを提供することにある。
【課題を解決するための手段】
【０００８】
本発明の放射空調システムは、室内空間の空気を取り込んで空調空気をふき出す空調機と、前記室内空間を区画する天井面又は壁面に取り付けられる断熱パネルと、前記断熱パネルとの間に、端部が開放された空間であって、前記空調空気を通過させて前記端部から前記室内空間に流出させる通風空間を形成する放射パネルとを備える。
【０００９】
本発明によれば、空調機の室内機の空調空気噴出口からふき出される空調空気（冷却空気又は加熱空気）は、放射パネルと断熱パネルとの間の通風空間へ案内される。放射パネルは、通風空間を通る空調空気が擦過する過程でこの空調空気と熱交換されて冷却又は加熱され、その表面温度に応じた放射強度で室内空間へ熱放射することによる放射冷暖房を行い、すなわち先に説明した式（１）におけるｔ２を調整するものである。一方、放射パネルと熱交換されることによって適宜昇温した前記冷却空気又は適宜降温した前記加熱空気は、前記通風空間の開放端部から室内空間へ流出し、対流によって室内空間の空気を調温する室内対流冷暖房を行い、すなわち式（１）におけるｔ１を調整して、上記放射冷暖房効果を補うものである。また断熱パネルは、空調空気が通風空間を通過する際の熱損失を抑制して、放射パネルからの熱放射効率、及び前記通風空間の開放端部から室内空間へ流出する空調空気による調温効率を高め、冷房運転時に室内空間を区画する面が冷却されることによる結露の発生を防止するものである。
【発明の効果】
【００１０】
本発明によれば、空調機等を天井裏空間に設置する必要がないため、天井裏空間の高さに関係なく施工可能である。そして、既存の室内対流型の空調機を用いて放射空調を行うことができ、また、放射パネルからの熱放射による放射冷暖房効果と、放射パネルの裏側の通風空間の開放端部から冷却空気又は加熱空気が室内空間へ流出することによる対流冷暖房効果が互いに補完し合うため、立ち上がり性に優れた冷暖房が可能となる。しかも、空調機は対流冷暖房用と同様に室内空気を取り込んで空調するものであるため、冷房時における除湿性を確保することができる。
【図面の簡単な説明】
【００１１】
【図１】放射空調システムの好ましい実施の形態を示す斜視図である。
【図２】放射空調システムの好ましい実施の形態を示す断面図である。
【図３】放射空調システムの好ましい実施の形態において、通風空間を通過する空調空気の流れの分布と共に示す放射パネルの下面図である。
【図４】放射空調システムの好ましい実施の形態において、断熱パネルのピースと放射パネルのピース及びスペーサからなるユニットの構成を示す斜視図である。
【図５】放射空調システムの好ましい実施の形態において、施工前の室内を示す斜視図である。
【図６】放射空調システムの好ましい実施の形態において、天井面にレールを取り付けた状態を示す斜視図である。
【図７】放射空調システムの好ましい実施の形態において、空調機を包蔵するようにキャビネットを取り付けた状態を示す斜視図である。
【図８】放射空調システムの好ましい実施の形態において、断熱パネルのピースと放射パネルのピース及びスペーサからなるユニットをレールに取り付けた状態を示す斜視図である。
【図９】放射空調システムの好ましい実施の形態において、キャビネットの接続及びユニットの取付工程を示す斜視図である。
【図１０】放射空調システムの好ましい実施の形態において、施工完了状態を示す斜視図である。
【図１１】室内対流型の空調機による従来の空調システムを示す説明図である。
【図１２】従来の放射空調システムの一例を概略的に示す縦断面図である。
【発明を実施するための形態】
【００１２】
以下、放射空調システムの好ましい実施の形態について、図面を参照しながら説明する。まず図１及び図２において、参照符号１は室内空間であり、１１は室内空間１を画成する天井面、１２は壁面、１３は床面である。
【００１３】
参照符号２はヒートポンプ式空調機で、図２に示すように、壁面１２に設置された室内機２１と、屋外に設置された室外機２２を備え、室内機２１と室外機２２の間で、流体を、液相−気相の可逆変化を伴いながら循環させることによって熱を運搬するヒートポンプ機能を奏するものである。そして室内機２１は、吸気口２１ａから室内空間１の空気を取り入れて、冷媒の吸熱又は放熱作用により冷却又は加熱された空気を、空調空気噴出口２１ｂから噴き出すようになっている。
【００１４】
天井面１１には、複数のレール６と、このレール６にその長手方向移動可能に係止された係止具（吊金具）７を介して、天井面１１からたとえば５０ｍｍ程度離間した状態で断熱パネル３が水平に取り付けられ、この断熱パネル３には所要数のスペーサ５を介して放射パネル４が水平に取り付けられている。
【００１５】
断熱パネル３は、たとえば熱伝達率が０.０２Ｗ／ｍ２Ｋ程度で厚さが２４ｍｍ程度の発泡樹脂保温材等からなるものであって、その厚さ方向両面には薄膜状の金属、たとえばアルミニウムからなる反射材３１，３２が一体に被着されている。放射パネル４は、たとえば熱伝達率が０.１７Ｗ／ｍ２Ｋ程度で、透湿性を有する厚さ２．５ｍｍ程度の硬質繊維板（ハードボード）からなるものであって、その下面（室内空間１を向いた面）には、意匠性を考慮してクロス材４１が貼着されており、このクロス材４１には、放射パネル４の透湿性を損なうことのないように、透湿クロス材が用いられている。また、スペーサ５は、熱伝達率が小さい木材又は合成樹脂材からなるものであって、断熱パネル３と放射パネル４の間に適当な間隔で配置されると共に接着等により固定され、このスペーサ５によって、断熱パネル３と放射パネル４の間にたとえば高さ２４ｍｍ程度の中空層からなる通風空間Ｓ１が形成されている。
【００１６】
断熱パネル３は、図３及び図４に示すように基本的に４００ｍｍ×４００ｍｍ程度の大きさの正方形（一部は４００ｍｍ×８００ｍｍ程度の大きさの長方形）をなす複数のピース３０に分割され、面方向へ互いに密接させて敷き詰めた状態に設置することで所要の面積の断熱パネル３を構築するようになっており、放射パネル４もこれに対応するピース４０に分割され、面方向へ互いに密接させて敷き詰めた状態に設置することで所要の面積の放射パネル４を構築するようになっている。そして放射パネル４のピース（以下、放射パネル用ピースという）４０と、断熱パネル３のピース（以下、断熱パネル用ピースという）３０は、それぞれ複数のスペーサ５を介して互いに結合されることで、予め組立体ＡＳとしてユニット化されたものである。
【００１７】
放射パネル用ピース４０のうち、長方形のピース４０Ａは空調機２の室内機２１のほぼ真上の位置に取り付けられるものであって、開口部４２を有する。また、この長方形の放射パネル用ピース４０Ａと、前記室内機２１寄りの外周に位置して取り付けられる複数の放射パネル用ピース４０Ｂは、その上面（室内空間１と反対側を向いた面）に、断熱パネル３の外周部の下面とほぼ密接される堰板４３が取り付けられている。そしてこの堰板４３は、放射パネル用ピース４０，４０，・・・（組立体ＡＳ，ＡＳ，・・・）を面方向へ互いに密接させて敷き詰めた状態に設置することによって放射パネル４を組み立てた状態では、この放射パネル４のうち開口部４２を有する側の外周を、平面コ字形をなして取り囲むように延びるものである。
【００１８】
レール６は、たとえば図３における左右方向（放射パネル４の長辺方向）へ互いに平行に延びており、この方向へ並んだ断熱パネル用ピース３０（放射パネル用ピース４０）の各列の真上に位置して２本ずつ配置され、天井面１１に取り付けられている。そしてこのレール６は、図４に示すように長手方向へ連続した中空部６ａを有し、この中空部６ａが、長手方向へ連続した溝部６ｂを介して下方へ開口した構造となっている。
【００１９】
また、係止具７は、図４に示すように下端が各断熱パネル用ピース３０に結合されると共に上部がレール６の溝部６ｂに長手方向移動自在に挿入される軸部７１と、この軸部７１の上端に形成されて、レール６の中空部６ａ内に長手方向移動自在に挿入可能であると共にレール６の溝部６ｂを通過できない大きさの頭部７２からなる。
【００２０】
空調機２の室内機２１にはキャビネット８が取り付けられている。このキャビネット８は、熱伝達率の小さい（断熱性の高い）材料からなるものであって、室内機２１の吸気口２１ａを室内空間１へ開放する開口部８ａが開設されると共に、導風部材８１を備えている。導風部材８１は上端が放射パネル４（放射パネル用ピース４０Ａ）における開口部４２に接続され、空調空気噴出口２１ｂからの空調空気を通風空間Ｓ１へ案内するものである。また、このキャビネット８は、不図示のリモコンによる操作や室温の検出を阻害しないように、リモコン操作信号の受信部や温度検出部等を覆わないものとする。
【００２１】
以上のように構成された放射空調システムにおいて、夏季に冷房を行う場合は、ユーザーが不図示のリモコン等の操作によって空調機２を冷房運転させると、空調機２の室内機２１の空調空気噴出口２１ｂから噴き出された冷却・除湿空気（以下、単に冷却空気という）が、キャビネット８の導風部材８１から通風空間Ｓ１へ送られる。そしてこの冷却空気が通風空間Ｓ１を通過する過程で、熱抵抗の小さい放射パネル４の裏面（上面）を擦過することによってこの放射パネル４との熱交換が行われ、すなわち放射パネル４が冷却されるので、先に説明した式（１）におけるｔ２が低下し、この放射パネル４の表面（下面）から室内空間１への冷熱の放射ＴＲが行われる。なお、この場合、実際には、冷却された放射パネル４からの熱（赤外線）の放射強度は著しく低いものとなるので、ヒトの体表面などから放射された熱が、冷却された放射パネル４の表面で反射せずに吸収されることによって冷感を感じるものであるが、ここでは便宜的に、放射パネル４からの放射ＴＲによる冷感を感じるものとする。
【００２２】
また、通風空間Ｓ１を通る過程で放射パネル４と熱交換されることによって適宜昇温した冷却空気は、通風空間Ｓ１の開放端部から室内空間１へ流出し、対流によって室内空間１を下降する。そしてこの冷却空気の流れは、通風空間Ｓ１での拡散や摩擦によって減速されていることに加え、上述のように、放射パネル４との熱交換によって適宜昇温しているため、室内対流による下降速度が緩やかであり、しかもこの下降気流は放射パネル４の周囲から壁面１２に沿って発生する。このため不快な気流感が抑えられて、たとえば横臥位にあるユーザーは、主として放射パネル４からの放射ＴＲによる冷感を感じることとなる。なお、前記下降気流が壁面１２に沿って生じている場合、これによって壁面１２が適宜冷却されるので、この壁面１２からも、わずかに放射ＴＲが発生する。
【００２３】
また、空調機２の室内機２１は、キャビネット８の開口部８ａを介して吸気口２１ａから室内空間１の空気を取り込んで冷却・除湿するため、室内空間１の水蒸気量が減少する。詳しくは、室内空間１内の空気が室内機２１に取り込まれて冷却される際には、空気に含まれる水蒸気が飽和して凝縮され、液化して屋外へ排出されるので、通風空間Ｓ１へ供給される冷却空気は湿度が低いものとなっている。このため透湿性を有する放射パネル４に吸収された水蒸気が浸透圧によって通風空間Ｓ１へ効率良く放湿され、その後、室内空間１を経由して室内機２１に取り込まれて凝縮され、ドレン水として除去されることになる。またこのとき、室内機２１内で水蒸気が液化する際の潜熱もヒートポンプ機構によって室外機２２から屋外へ放出されるため、室内空間１の水蒸気量が減少する。
【００２４】
また、従来の放射空調システムのように天井裏の空間全体を冷却する必要がないことに加え、通風空間Ｓ１を通過した冷却空気が室内空間１の上部へ流出するようにしたため、放射冷房の立ち上がりの悪さが改善され、短時間で快適な環境とすることができる。さらに、式（１）におけるｔ２が低下するため、一般的な対流型（空気噴流型）の空調システムに比較して室温（式（１）における空気の温度ｔ１）を高く設定することができ、このためたとえば窓を開けて換気を行う場合の外気との温度差が小さくなって熱損失も小さく抑えられ、その結果、省エネルギーに寄与することができる。
【００２５】
しかも、放射パネル４を構成する硬質繊維板は透湿性を有するため、通風空間Ｓ１を通過する冷却空気で冷却されることによって放射パネル４の放射面（室内空間１を向いた面）に結露を生じるのを防止することができ、このため、結露に伴う潜熱放出による放射冷房効率の悪化も防止することができる。
【００２６】
次に、冬季に暖房を行う場合は、ユーザーが不図示のリモコン等の操作によって空調機２を暖房運転させると、この空調機２の室内機２１の空調空気噴出口２１ｂから噴き出された加熱空気がキャビネット８の導風部材８１から通風空間Ｓ１へ送られる。そしてこの加熱空気が通風空間Ｓ１を通過する過程で放射パネル４との熱交換が行われ、すなわち放射パネル４が加熱されるので、先に説明した式（１）におけるｔ２が高くなり、この放射パネル４によって室内空間１への熱の放射ＴＲが行われる。
【００２７】
一方、通風空間Ｓ１を通る過程で放射パネル４と熱交換されることによって適宜降温した加熱空気は、通風空間Ｓ１の開放端部から室内空間１へ流出し、室内空間１の上部（ヒトの身長より高い領域）に滞留する。このためヒトの生活空間内での上下温度分布差や気流による不快感が抑えられて、たとえば横臥位にあるユーザーは、主として放射パネル４からの放射ＴＲによる温感を感じるものとなる。
【００２８】
また、従来の放射空調システムのように天井裏の空間全体を温める必要がないので、放射暖房の立ち上がりの悪さが改善され、短時間で快適な環境とすることができる。さらに、式（１）におけるｔ２を上昇させるため、一般的な対流型（空気噴流型）の空調システムに比較して室温（式（１）における空気の温度ｔ１）を低く設定することができる。しかも通風空間Ｓ１から流出した加熱空気は室内空間１の上部に滞留しており、室内空間１の下部の空気は比較的低温であるため、たとえば窓を開けて換気を行う場合の外気との温度差が小さくなって熱損失も小さく抑えられ、その結果、省エネルギーに寄与することができる。
【００２９】
そして、通風空間Ｓ１のうち、導風部材８１が接続された放射パネル４の開口部４２が存在する側の外周は、堰板４３によって平面コ字形に取り囲まれているので、上述の冷房運転又は暖房運転において、導風部材８１からの空調空気（冷却・除湿空気又は加熱空気）は、通風空間Ｓ１内を、図３に多数の矢印で示すように、堰板４３によって堰き止められていない図中右側の開放端部へ向けて案内され、この開放端部から室内空間１へ流出することになる。したがって、放射パネル４の表面（放射面）の温度ムラができにくくなって、室内空間１への放射の均一化を図ることができる。
【００３０】
さらに、夏季の冷房時には、空調機２によって室内空間１の空気が除湿されることに加え、上述のように、室温を高く設定できることから、夏の室内の相対湿度が低めにシフトし、一方、冬季の暖房時には室温を低く設定できることから、冬の室内の相対湿度が高めにシフトすることになる。したがって快適な湿度環境を創出することができる。また先に説明したように、横臥位にあるユーザーは、主として放射パネル４からの放射による穏やかな冷感や温感を与えられるので、住宅の寝室、老人福祉施設の個室など、人が仰臥位もしくは低代謝でいる時間が長い室内の空調手段として効果的である。
【００３１】
しかも、通風空間Ｓ１が放射パネル４と断熱パネル３の間に形成されているため、断熱パネル３自体への伝熱による熱損失が低減するばかりでなく、通風空間Ｓ１を通過する空調空気から、断熱パネル３側へ放射される熱が、断熱パネル３における通風空間Ｓ１側の面を覆う反射材３１によって放射パネル４側へ反射されるので、放射パネル４への放射熱の入射量も増加する。また、天井面１１からの放射熱は、断熱パネル３における天井面１１側の面を覆う反射材３２によって天井面１１側へ反射される。したがって、放射パネル４からの室内空間１への放射効率を高めると共に、通風空間Ｓ１の開放端部から室内空間１へ流出する空調空気による調温効率を高めることができ、特に冷房運転時に、通風空間Ｓ１を通る冷却空気によって天井面１１が冷却されないので、天井面１１での結露の発生を防止することができる。
【００３２】
さらに、断熱パネル３が天井面１１から離間して取り付けられていることによって、天井面１１と断熱パネル３の間に介在する空気層が、断熱パネル３から天井面１１への伝熱を絶縁する作用を奏するため、このことも、放射パネル４からの熱放射効率、及び通風空間Ｓ１の開放端部から室内空間１へ流出する空調空気による調温効率の向上に貢献する。
【００３３】
図５〜図１０は、上記構成を備える放射空調システムの施工工程を、順を追って示すものである。このうち図５は、施工前の室内を示しており、壁面１２の上部には、空調機２における壁掛け式の室内機２１が設置されている。空調機２は、新規に取り付けたものでも良いし、既設のものを利用することもできる。
【００３４】
放射空調システムの施工に際しては、まず図６に示すように、天井面１１にレール６を不図示のビス等の取付手段を用いて取り付ける。この場合、レール６は、空調機２の室内機２１が設置された壁面１２に対して直角に、かつ図３に示すように取り付けられる予定の断熱パネル用ピース３０（放射パネル用ピース４０）の各列の上に位置するように、２本ずつ位置決めして互いに平行に取り付ける。
【００３５】
そして図７に示すように、空調機２の室内機２１が取り付けられた壁面１２に、室内機２１を包囲するように壁掛け式のキャビネット８を取り付ける。またその際には、室内機２１の吸気口２１ａのカバー及び空調空気噴出口２１ｂのブレード等は取り外す。
【００３６】
次に図８に示すように、空調機２の室内機２１のほぼ真上の位置に取り付けられる放射パネル用ピース４０Ａ及びこれに断熱パネル用ピース３０をスペーサ５と共に予め一体的に組み付けてユニット化された組立体ＡＳ１や、これに隣接するいくつかの組立体ＡＳをそれぞれ所定の位置に取り付ける。
【００３７】
詳しくは図４に示すように、組立体ＡＳ（又はＡＳ１）における断熱パネル用ピース３０に係止具７の軸部７１を結合した状態で、この係止具７の頭部７２を、天井面１１に取り付けられたレール６の中空部６ａに挿入し、このレール６の溝部６ｂに沿って移動させることで、前記組立体ＡＳ（ＡＳ１）を所定個所へ敷き詰めて、隣接する放射パネル用ピース４０同士及び断熱パネル用ピース３０同士を面方向へ密接させた状態とすることができる。
【００３８】
そして図９に示すように、キャビネット８に導風部材８１を取り付けて、その下部開口を空調機２の室内機２１の空調空気噴出口２１ｂに接合すると共に、上部開口を、空調機２の室内機２１のほぼ真上の位置に取り付けられた組立体ＡＳ１における放射パネル用ピース４０Ａに開設された開口部４２に接続する。
【００３９】
その作業の後は、さらに所要数の組立体ＡＳを、所定個所へ取り付けて敷き詰めていく。そしてこのとき、天井面１１に既設の照明具などが存在していても、組立体ＡＳ（断熱パネル用ピース３０）は係止具７によって天井面１１から適宜離間して取り付けられるので、このような既設の照明具などとの干渉を回避することができる。
【００４０】
そしてこのような手順で作業を進めることによって、図１０に示すように、所要の面積の放射パネル４及び断熱パネル３が構築され、放射空調システムの施工が完了する。なお、組立体ＡＳの取り付けが終わった後は、この組立体ＡＳがレール６に沿って不用意に移動して脱落してしまうようなことがないように、レール６の端部は適当な金具などからなる不図示のストッパで閉塞すればよい。
【００４１】
また、放射空調システムの施工領域の天井面１１に、既設の照明具などが存在する場合は、組立体ＡＳを取り付けていく過程で、照明具用の電源から天井面１１と断熱パネル３（断熱パネル用ピース３０）との間の空間を利用して電気配線を行い、断熱パネル３の上面などに間接照明用の不図示の照明器具を取り付けても良い。このようにすれば、照明器具からの照明光が、断熱パネル３と天井面１１との間で乱反射して漏洩した光となるので、柔らかな光を得ることができる。
【００４２】
なお、上述した実施の形態では、放射パネル４及び断熱パネル３を天井面１１に取り付けるものとして説明したが、壁面１２に取り付ければ、壁面１２側から室内空間１へ向けての放射空調を行うことができる。
【符号の説明】
【００４３】
１  室内空間
１１  天井面
１２  壁面
２  空調機
２１  室内機
２１ａ  吸気口
２１ｂ  空調空気噴出口
３  断熱パネル
３０  断熱パネル用ピース
４  放射パネル
４０，４０Ａ，４０Ｂ  放射パネル用ピース
４１  クロス材
５  スペーサ
６  レール
７  係止具
８  キャビネット
８１  導風部材
ＡＳ  組立体
Ｓ１  通風空間
【図１】
2019090606.tif 000004
【図２】
2019090606.tif 000005
【図３】
2019090606.tif 000006
【図４】
2019090606.tif 000007
【図５】
2019090606.tif 000008
【図６】
2019090606.tif 000009
【図７】
2019090606.tif 000010
【図８】
2019090606.tif 000011
【図９】
2019090606.tif 000012
【図１０】
2019090606.tif 000013
【図１１】
2019090606.tif 000014
【図１２】
2019090606.tif 000015